【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
地理的位置の名称を含むユーザ入力を受信するステップと；
前記地理的位置の名称に基づいて、ナビゲーションサーバから前記地理的位置の地理的特徴を取得するステップ（Ｓ１０１）と；
前記地理的位置の人口に関連する統計データを含む予め格納された過去のデータに基づいて、前記地理的位置の行動的特徴及び人口的特徴を特定するステップ（Ｓ１０２）と；
前記地理的特徴、前記行動的特徴、及び、前記人口的特徴、のうちの少なくとも１つに基づいて、前記地理的位置の属性情報を特定するステップ（Ｓ１０３）と；を備える、
地理的位置の属性情報を特定する方法。
【請求項２】
前記地理的位置の前記属性情報は、前記地理的位置の商業的価値を含む、
請求項１に記載の方法。
【請求項３】
前記地理的特徴は、前記地理的位置の過去の照会頻度情報、前記地理的位置の人口分布情報、前記地理的位置の基本的地理情報、及び前記地理的位置のカテゴリ情報、のうちの少なくとも１つを含む、
請求項２に記載の方法。
【請求項４】
前記行動的特徴は、オンライン情報及びオフライン情報を含み、
前記オンライン情報は、前記地理的位置の過去の支払い情報を含み、
前記オフライン情報は、前記地理的位置の過去のオフライン取引情報及び前記地理的位置の評価情報を含む、
請求項３に記載の方法。
【請求項５】
前記人口的特徴は、前記地理的位置におけるユーザの消費特徴情報及び年齢分布情報を含む、
請求項４に記載の方法。
【請求項６】
前記地理的特徴、前記行動的特徴、及び、前記人口的特徴、のうちの少なくとも１つに基づいて、前記地理的位置の属性情報を特定する前記ステップは：
前記地理的特徴、前記行動的特徴、及び前記人口的特徴、のそれぞれに含まれる情報のスコアを取得するステップと；
前記地理的特徴、前記行動的特徴、及び前記人口的特徴、のそれぞれに含まれる前記情報の重みを特定するステップと；
前記地理的位置の前記商業的価値を特定するために、前記取得したスコアに対して重み付け計算を実行するステップと；を備える、
請求項２に記載の方法。
【請求項７】
前記地理的特徴、前記行動的特徴、及び前記人口的特徴、のそれぞれに含まれる前記情報の重みを特定する前記ステップは：
前記地理的特徴、前記行動的特徴、及び前記人口的特徴に含まれる任意の情報の真正性及び完全性を特定するステップと；
前記情報の前記真正性及び前記完全性に基づいて前記情報の重みを特定するステップと；を備える、
請求項６に記載の方法。
【請求項８】
前記ナビゲーションサーバが、ユーザに提供される電子マップ上に前記地理的位置の前記商業的価値を表示するために、前記ナビゲーションサーバに前記地理的位置の前記商業的価値を提供するステップ；又は
クレジットサービスプラットフォームが、前記地理的位置の前記商業的価値に基づいてローンサービスを実行するために、前記クレジットサービスプラットフォームに前記地理的位置の前記商業的価値を提供するステップ；又は
ユーザのために前記地理的位置の前記商業的価値を提供するステップ；を更に備える、
請求項２に記載の方法。
【請求項９】
前記地理的位置の属性情報は、前記地理的位置の人々に提供されるサービスの密度を含む、
請求項１に記載の方法。
【請求項１０】
請求項１〜９のいずれか１項に記載の方法を実行するように構成された、複数のモジュールを備える、
地理的位置の属性情報を特定するデバイス。
【手続補正２】
【補正対象書類名】明細書
【補正対象項目名】００６２
【補正方法】変更
【補正の内容】
【００６２】
前述の説明は、本願の単なる実施であり、本願を限定するものではない。当業者であれば、本願は様々な修正及び変更を行うことができる。本願の精神及び原理内においてなされた変更、均等物の置換、改良などは、本願の特許請求の範囲の範囲内に入るものとする。
［第１の局面］
ナビゲーションサーバから地理的位置の地理的特徴を取得するステップと；
予め格納された過去のデータに基づいて、前記地理的位置の行動的特徴及び人口的特徴を特定するステップと；
前記地理的特徴、前記行動的特徴、及び前記人口的特徴、のうちの少なくとも１つに基づいて、前記地理的位置の属性情報を特定するステップと；を備える、
地理的位置の属性情報を特定する方法。
［第２の局面］
前記地理的位置の前記属性情報は、前記地理的位置の商業的価値を含む、
第１の局面に記載の方法。
［第３の局面］
前記地理的特徴は、前記地理的位置の過去の照会頻度情報、前記地理的位置の人口分布情報、前記地理的位置の基本的地理情報、及び前記地理的位置のカテゴリ情報、のうちの少なくとも１つを含み、
前記行動的特徴は、オンライン情報及びオフライン情報を含み、
前記オンライン情報は、前記地理的位置の過去の支払い情報を含み、
前記オフライン情報は、前記地理的位置の過去のオフライン取引情報及び前記地理的位置の評価情報を含み、
前記人口的特徴は、前記地理的位置におけるユーザの消費特徴情報及び年齢分布情報を含む、
第２の局面に記載の方法。
［第４の局面］
前記地理的特徴、前記行動的特徴、及び前記人口的特徴、のうちの少なくとも１つに基づいて、前記地理的位置の属性情報を特定する前記ステップは：
前記地理的特徴、前記行動的特徴、及び前記人口的特徴、のそれぞれに含まれる情報のスコアを取得するステップと；
前記地理的特徴、前記行動的特徴、及び前記人口的特徴、のそれぞれに含まれる前記情報の重みを特定するステップと；
前記取得したスコアに対して重み付け計算を実行して前記地理的位置の前記商業的価値を特定するステップと；を備える、
第２の局面に記載の方法。
［第５の局面］
前記地理的特徴、前記行動的特徴、及び前記人口的特徴のそれぞれに含まれる前記情報の重みを特定する前記ステップは：
前記地理的特徴、前記行動的特徴、及び前記人口的特徴に含まれる任意の情報の真正性及び完全性を特定するステップと；
前記情報の前記真正性及び前記完全性に基づいて前記情報の重みを特定するステップと；を備える、
第４の局面に記載の方法。
［第６の局面］
前記ナビゲーションサーバが、ユーザに提供される電子マップ上に前記地理的位置の前記商業的価値を表示するために、前記ナビゲーションサーバに前記地理的位置の前記商業的価値を提供するステップ；又は
クレジットサービスプラットフォームが前記地理的位置の前記商業的価値に基づいてローンサービスを実行するために、前記クレジットサービスプラットフォームに前記地理的位置の前記商業的価値を提供するステップ；又は
ユーザのために前記地理的位置の前記商業的価値を提供するステップ；を備える、
第２の局面に記載の方法。
［第７の局面］
ナビゲーションサーバから地理的位置の地理的特徴を取得する第１の取得モジュールと；
予め格納された過去のデータに基づいて、前記地理的位置の行動的特徴及び人口的特徴を取得するように構成された第２の取得モジュールと；
前記地理的特徴、前記行動的特徴、及び前記人口的特徴のうちの少なくとも１つに基づいて、前記地理的位置の属性情報を特定するように構成された特定モジュールと；
を備える、
地理的位置の属性情報を特定するデバイス。
［第８の局面］
前記地理的位置の前記属性情報は、前記地理的位置の商業的価値を含む、
第７の局面に記載のデバイス。
［第９の局面］
前記地理的特徴は、前記地理的位置の過去の照会頻度情報、前記地理的位置の人口分布情報、前記地理的位置の基本的地理情報、及び前記地理的位置のカテゴリ情報、のうちの少なくとも１つを含み、
前記行動的特徴は、オンライン情報及びオフライン情報を含み、
前記オンライン情報は、前記地理的位置の過去の支払い情報を含み、
前記オフライン情報は、前記地理的位置の過去のオフライン取引情報及び前記地理的位置の評価情報を含み、
前記人口的特徴は、前記地理的位置におけるユーザの消費特徴情報及び年齢分布情報を含む、
第８の局面に記載のデバイス。
［第１０の局面］
前記特定モジュールは、前記地理的特徴、前記行動的特徴、及び前記人口的特徴のそれぞれに含まれる情報のスコアを取得し；前記地理的特徴、前記行動的特徴、及び前記人口的特徴のそれぞれに含まれる前記情報の重みを特定し；前記取得したスコアに対して重み付け計算を実行して前記地理的位置の前記商業的価値を特定するように構成された、
第８の局面に記載のデバイス。
［第１１の局面］
前記特定モジュールは、前記地理的特徴、前記行動的特徴、及び前記人口的特徴に含まれる任意の情報の真正性及び完全性を特定し；前記情報の重みを前記情報の前記真正性及び前記完全性に基づいて特定するように構成された、
第１０の局面に記載のデバイス。
［第１２の局面］
前記ナビゲーションサーバがユーザに提供された電子マップ上に前記地理的位置の前記商業的価値を表示するために、前記ナビゲーションサーバに前記地理的位置の前記商業的価値を提供するように；又は、クレジットサービスプラットフォームが前記地理的位置の前記商業的価値に基づいてローンサービスを実行するために、前記クレジットサービスプラットフォームに前記地理的位置の前記商業的価値を提供するように；又は、ユーザのために前記地理的位置の前記商業的価値を提供するように；構成された提供モジュールを更に備える、
第７の局面に記載のデバイス。